(57)【要約】【課題】伝送手段が故障した故障期間において、当該伝送装置に接続されていた通信対象と制御手段との間の通信を可能にする。【解決手段】第１施設に設けられた第１伝送手段と、第２施設に設けられた第２伝送手段とを具備する伝送システムにおいて、第２伝送手段が正常に動作しない故障期間において、第１伝送手段に接続された場合、第１伝送手段を介して制御手段と通信可能な第１非常用伝送手段と、故障期間において、第２施設の通信対象と接続された場合、第１伝送手段および第１非常用伝送手段を介して制御手段と当該通信対象との間で通信を可能とする第２非常用伝送手段とを具備し、第１伝送手段には、故障期間より前の期間において、制御手段と第１非常用伝送手段との通信が可能となる設定情報が予め記憶されることを特徴とする。【選択図】図６
2020120280.tif 000002
【特許請求の範囲】
【請求項１】
第１施設および第２施設を含む複数の施設に設けられた各種の通信対象と遠隔地において通信可能な制御手段と、
前記第１施設に設けられるとともに、前記制御手段と前記第１施設の前記通信対象との間で通信が可能となる設定情報が予め記憶された第１伝送手段と、
前記第２施設に設けられるとともに、前記制御手段と前記第２施設の前記通信対象との間で通信が可能となる設定情報が予め記憶された第２伝送手段と、
前記第２伝送手段が正常に動作しない故障期間において、前記第１伝送手段に接続された場合、前記第１伝送手段を介して前記制御手段と通信可能な第１非常用伝送手段と、
前記第１非常用伝送手段と前記制御手段との通信が可能な前記故障期間において、前記第２施設の通信対象に接続された場合、前記第１伝送手段および前記第１非常用伝送手段を介して前記制御手段と当該通信対象との間で通信を可能とする第２非常用伝送手段とを具備し、
前記第１伝送手段には、前記故障期間より前の期間において、前記制御手段と前記第１非常用伝送手段との通信が可能となる設定情報が予め記憶されることを特徴とする伝送システム。
【請求項２】
前記第１非常用伝送手段および前記第２非常用伝送手段の各々は可搬型であることを特徴とする請求項１に記載の伝送システム。
【請求項３】
前記複数の施設は、第３施設を含み、
前記第３施設に設けられるとともに、前記制御手段と前記第３施設の前記通信対象との間で通信が可能となる設定情報が予め記憶された第３伝送手段を具備し、
前記第１伝送手段、前記第２伝送手段および前記第３伝送手段は環状に接続され、
前記故障期間において、前記第１施設の前記第１非常用伝送手段および前記第２施設の前記第２非常用伝送手段は、前記第３伝送手段を介することなく通信可能であることを特徴とする請求項１または２に記載の伝送システム。
【請求項４】
前記第２施設に設けられた前記通信対象には、前記第２施設に設けられた監視対象を、前記制御手段と通信することで監視可能な遠隔監視手段が含まれることを特徴とする請求項１から３の何れかに記載の伝送システム。
【請求項５】
前記第２施設に設けられた通信対象には、前記制御手段と通信することで他の施設の通話装置と通話が可能な通話装置が含まれることを特徴とする請求項１から４の何れかに記載の伝送システム。
【請求項６】
前記第１非常用伝送手段は、前記第２施設の通信対象に接続された場合、前記第２非常用伝送手段として機能可能であり、
前記第２非常用伝送手段は、前記第１伝送手段に接続された場合、前記第１非常用伝送手段として機能可能であることを特徴とする請求項１から５の何れかに記載の伝送システム。
【請求項７】
請求項１に記載の伝送システムの復旧方法であって、
前記第１施設に前記第１非常用伝送手段を設置するステップと、
前記第１伝送手段に前記第１非常用伝送手段を接続するステップと、
前記第２施設に前記第２非常用伝送手段を設置するステップと、
前記第２施設の通信対象を前記第２伝送手段から取外すステップと、
前記第２施設の通信対象に前記第２非常用伝送手段を接続するステップと、を実行することを特徴とする伝送システムの復旧方法。
【発明の詳細な説明】
【技術分野】
【０００１】
本発明は、各施設（例えば変電所）に設置された通信対象（例えば変圧器を監視する装置）との通信に最適な伝送システム、及び伝送システムの復旧方法に関する。
【背景技術】
【０００２】
従来、制御装置および複数の伝送装置（ノード装置）を具備する伝送システムが知られている。伝送装置には通信対象（端末装置）が接続され、通信対象は伝送装置を介して制御装置と通信する。
【０００３】
上述の各伝送装置は、ケーブルを介して互いに接続される。例えば、特許文献１には、一の伝送装置が他の伝送装置と現用ケーブルおよび予備ケーブルを介して２重に接続される構成が開示される。以上の引用文献１の構成では、仮に現用ケーブルに障害が発生した場合であっても、予備ケーブルに切替えることにより、各伝送装置における通信が復旧できる。
【先行技術文献】
【特許文献】
【０００４】
【特許文献１】特開平０１−０８５４４７公報
【発明の概要】
【発明が解決しようとする課題】
【０００５】
上述の従来技術では、現用ケーブルに障害が発生した場合であっても、制御装置と通信対象との通信を復旧できる。
しかし、仮に伝送装置が故障した場合、当該伝送装置に接続された制御装置と通信対象との通信は復旧できないといった問題があった。
以上の事情を考慮して、本発明は、伝送装置が故障した場合であっても、制御装置と通信対象との通信を復旧可能にすることを目的とする。
【課題を解決するための手段】
【０００６】
以上の課題を解決するために、請求項１記載の発明に係る伝送システムは、第１施設および第２施設を含む複数の施設に設けられた各種の通信対象と遠隔地において通信可能な制御手段と、第１施設に設けられるとともに、制御手段と第１施設の通信対象との間で通信が可能となる設定情報が予め記憶された第１伝送手段と、第２施設に設けられるとともに、制御手段と第２施設の通信対象との間で通信が可能となる設定情報が予め記憶された第２伝送手段と、第２伝送手段が正常に動作しない故障期間において、第１伝送手段に接続された場合、第１伝送手段を介して制御手段と通信可能な第１非常用伝送手段と、第１非常用伝送手段と制御手段との通信が可能な故障期間において、第２施設の通信対象に接続された場合、第１伝送手段および第１非常用伝送手段を介して制御手段と当該通信対象との間で通信を可能とする第２非常用伝送手段とを具備し、第１伝送手段には、故障期間より前の期間において、制御手段と第１非常用伝送手段との通信が可能となる設定情報が予め記憶されることを特徴とする。
【発明の効果】
【０００７】
本発明によれば、伝送装置が故障した場合であっても、当該伝送装置に接続された通信対象と制御装置との通信が復旧可能である。
【図面の簡単な説明】
【０００８】
【図１】本発明の第１実施形態に係る伝送システムの各構成の一例を説明するための図である。
【図２】本発明の第１実施形態に係る伝送システムの機能ブロック図である。
【図３】本発明の第１実施形態に係る伝送システムにおける回路設定の一例を説明するための図である。
【図４】本発明の第１実施形態に係る伝送システムに用いる伝送装置の機能ブロック図である。
【図５】本発明の第１実施形態に係る伝送システムに用いる光端局装置の機能ブロック図である。
【図６】本発明の第１実施形態に係る伝送システムを用いて通信を復旧する作業を説明するための図である。
【図７】本発明の第２実施形態に係る伝送システムに適用する回路設定の一例を説明するための図である。
【発明を実施するための形態】
【０００９】
以下、本発明を図面に示した実施形態により詳細に説明する。
【００１０】
＜第１実施形態＞
＜伝送システム＞
図１は、本発明の第１実施形態に係る伝送システムＳの各装置を説明するための図である。伝送システムＳは、制御装置１、情報集配信装置（ＤＸ）２、設備機器（監視対象）３、伝送装置１１０、遠隔監視装置（ＴＣ）１２０、通話装置（ＴＥＬ）１３０および光端局装置２００を含んで構成される。図１に示す通り、制御装置１は制御所Ｒに設けられる。以上の制御装置１は、各変電所（施設）Ｐ（ａ〜ｅ）に設けられた設備機器３（例えば変圧器）を遠隔地から制御する。
【００１１】
図１に示す通り、各変電所には、設備機器３、伝送装置１１０、遠隔監視装置１２０および通話装置１３０が設けられる。遠隔監視装置１２０は、設備機器３を制御するため各種のデータを当該設備機器３から取得する。各変電所Ｐの遠隔監視装置１２０が取得した各種のデータは、制御中継所Ｑに設けられた情報集配信装置２が収集して記憶する。通話装置１３０は、例えば制御中継所Ｑの通話装置と通話するために設けられる。
【００１２】
図１に示す通り、制御中継所Ｑおよび各変電所Ｐは、ケーブル４により環状に接続される。具体的には、制御中継所Ｑの伝送装置１１０および各変電所Ｐの伝送装置１１０（ノード装置）は、環状に接続される。本実施形態では、ケーブル４として光ケーブルを採用する。ただし、光ケーブル以外をケーブル４として採用してもよい。なお、図１には、５個の変電所Ｐ（伝送装置１１０）がケーブル４を介して接続される具体例を示すが、変電所Ｐの個数は５個に限定されない。
【００１３】
各変電所Ｐの伝送装置１１０は、当該変電所Ｐに設けられた遠隔監視装置１２０および通話装置１３０と制御中継所Ｑとの間の通信を可能とする。本実施形態では、説明のため、遠隔監視装置１２０および通話装置１３０を「通信対象Ｄ」と総称する場合がある。なお、伝送装置１１０を介して制御中継所Ｑと通信する通信対象Ｄは、遠隔監視装置１２０および通話装置１３０に限定されない。例えば、３個以上の通信対象Ｄが変電所Ｐの各々に設けられる構成としてもよい。
【００１４】
詳細には後述するが、各種のデータ（後述の図３（ａ）参照）がケーブル４を介して制御中継所Ｑから各変電所Ｐの伝送装置１１０へ送信される。各変電所Ｐの伝送装置１１０は、当該変電所Ｐに設けられた通信対象Ｄが受信すべきデータを、制御中継所が送信した各データから取込む。また，各変電所Ｐから送信したデータは，制御中継所で各データを取り込む。
【００１５】
以上の伝送システムＳにおいて、仮に、伝送装置１１０の何れかが正常に動作しない期間（以下「故障期間」）を想定する。伝送装置１１０が故障した変電所Ｐでは、当該伝送装置１１０に接続された通信対象Ｄと制御中継所Ｑとの通信が不可能になる不都合が生じ得る。以上の事情を考慮して、本実施形態の伝送システムＳは、伝送装置１１０が故障した変電所Ｐにおける通信対象Ｄと制御中継所Ｑとの通信が故障期間においても可能な構成を採用した。
【００１６】
具体的には、伝送システムＳは、光端局装置２００（ｘ、ｙ）を具備する。光端局装置２００は、光端局装置２００ｘおよび光端局装置２００ｙを含む。光端局装置２００ｘおよび光端局装置２００ｙは、作業者が持運び可能な可搬型の光端局装置である。図１に示す通り、光端局装置２００ｘおよび光端局装置２００ｙは、伝送装置１１０が故障していない期間（以下「非故障期間」と記載する場合がある）において、例えば、保管所Ｔに保管される。ただし、非故障期間における光端局装置２００ｘおよび光端局装置２００ｙの保管場所は適宜に変更できる。
【００１７】
以上の光端局装置２００は、伝送装置１１０が正常に動作しない故障期間において、変電所Ｐに設置（搬入）される。変電所Ｐに光端局装置２００を設置することで、伝送装置１１０が故障した変電所Ｐの通信対象Ｄと制御中継所Ｑとの通信が可能になる（復旧する）。以上の構成について、以下において詳細に説明する。
【００１８】
＜伝送システムの各機能＞
図２（ａ）および図２（ｂ）は、本発明の第１実施形態に係る伝送システムの機能ブロック図である。図２（ａ）および図２（ｂ）の機能ブロック図では、互いに隣接する２個の変電所Ｐに設置された各構成を抜粋して示す。以下、説明のため、図２（ａ）および図２（ｂ）に示す各変電所Ｐの一方を「変電所Ｐ１」と記載し、他方を「変電所Ｐ２」と記載する。以上の変電所Ｐ１および変電所Ｐ２は、上述の図１に示す変電所Ｐａから変電所Ｐｅの何れかである。
【００１９】
図２（ａ）には、非故障期間における機能ブロック図の具体例を示す。一方、図２（ｂ）には、故障期間における機能ブロック図の具体例を示す。図２（ｂ）の具体例では、変電所Ｐ２の伝送装置１１０が故障した場合を想定する。
【００２０】
図２（ａ）および図２（ｂ）には、制御中継所Ｑと通信対象Ｄとの間で構築される論理回線（Ａ、Ｂ）を表す矢印が示される。詳細には後述するが、伝送装置１１０は、設定情報記憶装置（Ｍ）１１４を具備する。以上の設定情報記憶装置１１４は、各種の設定情報を記憶する（後述の図３（ｂ）参照）。伝送装置１１０の設定情報記憶装置１１４に適当な設定情報を記憶させる（回線設定をする）ことで、制御中継所Ｑと通信対象Ｄとの間で論理回線が構築される。
【００２１】
上述した通り、光端局装置２００は、光端局装置２００ｘおよび光端局装置２００ｙを含む。光端局装置２００ｙは、伝送装置１１０が故障した変電所Ｐに設置（搬入）される。詳細には後述するが、光端局装置２００ｙは、故障した伝送装置１１０に替えて、当該変電所Ｐの通信対象Ｄに接続される。以下、説明のため、光端局装置２００ｙが設置された変電所Ｐ（伝送装置１１０が故障した変電所Ｐ）を単に「迂回変電所Ｐｙ」と記載する場合がある。
【００２２】
光端局装置２００ｘは、迂回変電所Ｐｙに隣接する変電所Ｐ（伝送装置１１０が故障していない変電所Ｐ）に設置される。以下、説明のため、光端局装置２００ｘが設置された変電所Ｐを単に「隣接変電所Ｐｘ」と記載する場合がある。例えば、変電所Ｐｃの伝送装置１１０が故障した場合を想定する。以上の場合、変電所Ｐｃに隣接する変電所Ｐｂに光端局装置２００ｘが設置される。詳細には後述するが、光端局装置２００ｘは、隣接変電所Ｐｘの伝送装置１１０に接続される。
【００２３】
図２（ａ）および図２（ｂ）に示す通り、各変電所Ｐには、伝送装置１１０、遠隔監視装置１２０および通話装置１３０に加え、中間配線盤１４０が設けられる。中間配線盤１４０には、変電所Ｐにおける各装置がケーブルを介して通信可能に接続される（後述の図４参照）。
【００２４】
上述した通り、各変電所Ｐの伝送装置１１０は、制御中継所Ｑが送信した複数のデータから当該変電所Ｐの遠隔監視装置１２０および通話装置１３０が受信すべきデータを取得する。伝送装置１１０が取得した各データは、中間配線盤１４０を介して、遠隔監視装置１２０および通話装置１３０の各々に入力される。
【００２５】
以上の構成によれば、例えば、変電所Ｐ１の遠隔監視装置１２０と制御中継所Ｑとは、図２（ａ）に示す回線Ａ１１で通信可能になる。また、変電所Ｐ１の通話装置１３０と制御中継所Ｑとは、図２（ａ）に示す回線Ａ１２で通信可能になる。同様に、変電所Ｐ２の遠隔監視装置１２０と制御中継所Ｑとは、回線Ａ２１で通信可能になり、変電所Ｐ２の通話装置１３０と制御中継所Ｑとは、回線Ａ２２で通信可能になる。
【００２６】
図２（ａ）に示す通り、非故障期間では、光端局装置２００（ｘ、ｙ）が各変電所Ｐに設置されない。一方、故障期間では、図２（ｂ）に示す通り、伝送装置１１０が故障した変電所Ｐ２（迂回変電所Ｐｙ）、および、当該変電所Ｐと隣接する変電所Ｐ２（隣接変電所Ｐｘ）に光端局装置２００が設置される。
【００２７】
図２（ｂ）に示す通り、隣接変電所Ｐｘにおいて、中間配線盤１４０を介して光端局装置２００ｘが伝送装置１１０へ通信可能に接続される。詳細には後述するが、各変電所Ｐにおける伝送装置１１０の設定情報記憶装置１１４には、上述の設定情報が非故障期間において予め記憶される（後述の図３（ａ）参照）。以上の設定情報には、光端局装置２００ｘおよび制御中継所Ｑを通信可能とする（論理回線により接続する）ための設定情報が含まれる。
【００２８】
変電所Ｐ２の伝送装置１１０が正常に動作しない故障期間では、上述の図２（ａ）に示した、制御中継所Ｑと遠隔監視装置１２０との間に構築される回線Ａ２１、および、制御中継所Ｑと通話装置１３０との間に構築される回線Ａ２２による通信が不可能となる。伝送装置１１０が故障した迂回変電所Ｐｙでは、中間配線盤１４０から伝送装置１１０が取外される。
【００２９】
迂回変電所Ｐｙでは、中間配線盤１４０を介して光端局装置２００ｙが通信対象Ｄ（遠隔監視装置１２０、通話装置１３０）へ通信可能に接続される。また、迂回変電所Ｐｙの光端局装置２００ｙは、隣接変電所Ｐｘの光端局装置２００ｘと通信可能に中間配線盤１４０へ接続される。
【００３０】
以上の構成では、迂回変電所Ｐｙで光端局装置２００ｙが中間配線盤１４０へ接続され、且つ、隣接変電所Ｐｘで光端局装置２００ｘが中間配線盤１４０へ接続された場合、当該光端局装置２００ｙおよび光端局装置２００ｘは通信可能になる。具体的には、光端局装置２００ｘおよび隣接変電所Ｐｙは対向型の通信をする。
【００３１】
以上の説明から理解される通り、本実施形態によれば、迂回変電所Ｐｙの通信対象Ｄは、光端局装置２００ｙ、隣接変電所Ｐｘの光端局装置２００ｘおよび伝送装置１１０を介して制御中継所Ｑと通信可能になる。具体的には、図２（ｂ）に示す通り、迂回変電所Ｐｙの遠隔監視装置１２０と制御中継所Ｑとの間に回線Ｂ１が構築される。また、迂回変電所Ｐｙの通話装置１３０と制御中継所Ｑとの間に回線Ｂ２が構築される。以上の構成は、光端局装置２００ｘおよび光端局装置２００ｙを用いることにより、故障した伝送装置１１０を介することなく（迂回して）、迂回変電所Ｐｙの通信対象Ｄが制御中継所Ｑと通信が可能になるとも換言される。
【００３２】
＜通信方式＞
図３（ａ）は、各変電所Ｐの伝送装置１１０および制御中継所Ｑの通信方式を説明するための図である。
【００３３】
本実施形態では、時分割多重伝送の方式により、変電所Ｐの各装置と制御中継所Ｑとが通信する。具体的には、制御中継所Ｑの伝送装置１１０は、予め定められた期間（１周期）を２０１６個のチャンネルｃｈに分割する。制御中継所Ｑの伝送装置１１０は、一のチャンネルｃｈにおいて、変電所Ｐにおける一の通信対象Ｄまたは光端局装置２００へ各種のデータを送受信する。本実施形態では、上述した２０１６個のチャンネルｃｈを「チャンネル群Ｇ」と総称する場合がある。
【００３４】
なお、制御中継所Ｑおよび各変電所Ｐとの通信の方式は、上述の例に限定されない。また、チャンネル群Ｇにより送受信される各データを、１本のケーブルにより伝送してもよいし、複数本のケーブルにより伝送してもよい。例えば、チャンネル群Ｇのチャンネルと同数のケーブルを介して制御中継所Ｑおよび各変電所Ｐが通信する構成としてもよい。
【００３５】
図３（ａ）に示す通り、チャンネル群Ｇは、通常用チャンネル（ｃｈ３〜ｃｈ８）および迂回用チャンネル（ｃｈ１３〜ｃｈ１８）を含んで構成される。通常用チャンネルは、非故障期間および故障期間の双方において用いられる。一方、迂回用チャンネルは、故障期間において用いられ、非故障期間では原則として用いられない。
【００３６】
各変電所Ｐにおける伝送装置１１０の設定情報記憶装置１１４には、当該変電所Ｐの通信対象Ｄが受信すべきデータが送信されるチャンネルｃｈを特定可能な設定情報、および、光端局装置２００が受信すべきデータが送信されるチャンネルｃｈを特定可能な設定情報が記憶される。以上の構成によれば、各変電所Ｐの伝送装置１１０は、設定情報記憶装置１１４から設定情報を参照して、当該変電所Ｐで必要な各データをチャンネル群Ｇの各データから取得できる。
【００３７】
例えば、図３（ａ）の具体例では、通常用チャンネルｃｈのチャンネルｃｈｘ、および、迂回用チャンネルｃｈのチャンネルｃｈｙが特定される設定情報を伝送装置１１０の設定情報記憶装置１１４が記憶する。以上の場合、伝送装置１１０は、チャンネル群Ｇのうちチャンネルｃｈｘおよびチャンネルｃｈｙの各データを取込む。また、伝送装置１１０は、チャンネルｃｈｘのデータを当該データを受信すべき通信対象Ｄへ出力し、チャンネルｃｈｙのデータを光端局装置２００へ出力する。ただし、上述した通り、非故障期間では変電所Ｐに光端局装置２００は設置されない。したがって、非故障期間では、迂回用チャンネルｃｈから取得した各データは、光端局装置２００に受信されない。
【００３８】
＜設定情報＞
図３（ｂ）は、本発明の第１実施形態に係る伝送システムにおける回路設定の一例を説明するための図である。図３（ｂ）には、変電所Ｐｂから変電所Ｐｄの各々の伝送装置１１０（設定情報記憶装置１１４）に記憶される設定情報が示される。また、図３（ｂ）には、設定情報で特定されるチャンネルｃｈで制御中継所Ｑと通信する通信対象Ｄが示される。以下、説明のため、チャンネルｃｈｎ（ｎは整数）を特定する設定情報を「設定情報「ｃｈｎ」」と記載する場合がある。
【００３９】
例えば、変電所Ｐｂの伝送装置１１０（設定情報記憶装置１１４）は、図３（ｂ）に示す通り、設定情報「ｃｈ３」および設定情報「ｃｈ４」を記憶する。以上の各設定情報では、チャンネルｃｈ３およびチャンネルｃｈ４が特定される。以上のチャンネルｃｈ３およびチャンネルｃｈ４は、通常用チャンネルであり、非故障期間および故障期間の双方で用いられる。
【００４０】
制御中継所Ｑからは、変電所Ｐｂの遠隔監視装置１２０に入力すべき各種のデータがチャンネルｃｈ３において送信される。変電所Ｐｂの伝送装置１１０は、設定情報「ｃｈ３」を記憶することで、チャンネルｃｈ３において送信された各種のデータを、遠隔監視装置１２０に入力すべきデータとして受信できる。また、制御中継所Ｑからは、変電所Ｐｂの通話装置１３０に入力すべき音声データがチャンネルｃｈ４において送信される。変電所Ｐｂの伝送装置１１０は、設定情報「ｃｈ４」を記憶することで、チャンネルｃｈ４において送信された音声データを、通話装置１３０に入力すべきデータとして受信できる。
【００４１】
変電所Ｐｂの伝送装置１１０は、図３（ｂ）に示す通り、設定情報「ｃｈ３」および設定情報「ｃｈ４」に加え、設定情報「ｃｈ１３」および設定情報「ｃｈ１４」を記憶する。以上の各設定情報で特定されるチャンネルｃｈ１３およびチャンネルｃｈ１４は、迂回用チャンネルであり、故障期間で用いられる。
【００４２】
以上の迂回用チャンネル（ｃｈ１３およびｃｈ１４）は、変電所Ｐｃの伝送装置１１０が故障した期間において、変電所Ｐｂに光端局装置２００ｘが設置され、変電所Ｐｃに光端局装置２００ｙが設置された場合に用いられる。すなわち、変電所Ｐｂが隣接変電所Ｐｘとなり、変電所Ｐｃが迂回変電所Ｐｙとなる故障期間において、チャンネルｃｈ１３およびチャンネルｃｈ１４は用いられる。なお、詳細には後述するが、変電所Ｐｂの伝送装置１１０には、設定情報「ｃｈ１３」および設定情報「ｃｈ１４」が故障期間より前に予め記憶される。
【００４３】
制御中継所Ｑからは、変電所Ｐｂに設置された光端局装置２００ｘに入力すべき各種のデータがチャンネルｃｈ１３およびチャンネルｃｈ１４において送信される。変電所Ｐｂの伝送装置１１０は、設定情報「ｃｈ１３」および設定情報「ｃｈ１４」を記憶することで、チャンネルｃｈ１３およびチャンネルｃｈ１４に送信された各種のデータを、光端局装置２００ｘに入力すべきデータとして受信できる。
【００４４】
例えば、チャンネルｃｈ１３のデータが、変電所Ｐｂ（隣接変電所Ｐｘ）の光端局装置２００ｘへ入力された場合を想定する。以上の場合、変電所Ｐｂの光端局装置２００ｘは、チャンネルｃｈ１３のデータに応じて、変電所Ｐｃ（迂回変電所Ｐｙ）の遠隔監視装置１２０を制御するためのデータを出力する。変電所Ｐｂの光端局装置２００ｘから出力された当該データは、変電所Ｐｃの光端局装置２００ｙを介して遠隔監視装置１２０へ入力される（詳細には後述の図５を用いて説明する）。
【００４５】
また、チャンネルｃｈ１４のデータが、変電所Ｐｂの光端局装置２００ｘに入力された場合を想定する。以上の場合、変電所Ｐｂの光端局装置２００ｘは、チャンネルｃｈ１４のデータに応じて、変電所Ｐｃの通話装置１３０を制御するためのデータを変電所Ｐｃに設置された光端局装置２００ｙへ出力する。光端局装置２００ｘからのデータは、光端局装置２００ｙを介して通話装置１３０へ入力される。以上の説明から理解される通り、変電所Ｐｃの伝送装置１１０の故障期間において、変電所Ｐｃに設置された通信対象Ｄ（遠隔監視装置１２０等）は、光端局装置２００ｙ、光端局装置２００ｘおよび変電所Ｐｂの伝送装置１１０を介して、制御中継所Ｑと通信が可能である。
【００４６】
図３（ｂ）に示す通り、変電所Ｐｃの伝送装置１１０は、設定情報「ｃｈ５」および設定情報「ｃｈ６」を記憶する。以上の各設定情報では、チャンネルｃｈ５およびチャンネルｃｈ６が特定される。以上のチャンネルｃｈ５およびチャンネルｃｈ６は、通常用チャンネルであり、非故障期間および故障期間の双方で用いられる。
【００４７】
制御中継所Ｑからは、変電所Ｐｃの遠隔監視装置１２０に入力すべき各種のデータがチャンネルｃｈ５において送信される。変電所Ｐｃの伝送装置１１０は、設定情報「ｃｈ５」を記憶することで、チャンネルｃｈ５において送信された各種のデータを、遠隔監視装置１２０に入力すべきデータとして受信できる。また、制御中継所Ｑからは、変電所Ｐｃの通話装置１３０に入力すべき音声データがチャンネルｃｈ６において送信される。変電所Ｐｃの伝送装置１１０は、設定情報「ｃｈ６」を記憶することで、チャンネルｃｈ６において送信された音声データを、通話装置１３０に入力すべきデータとして受信できる。
【００４８】
変電所Ｐｃの伝送装置１１０は、図３（ｂ）に示す通り、設定情報「ｃｈ５」および設定情報「ｃｈ６」に加え、設定情報「ｃｈ１５」および設定情報「ｃｈ１６」を記憶する。以上の各設定情報で特定されるチャンネルｃｈ１５およびチャンネルｃｈ１６は、迂回用チャンネルであり、故障期間で用いられる。
【００４９】
以上の迂回用チャンネル（ｃｈ１５およびｃｈ１６）は、変電所Ｐｄの伝送装置１１０が故障した期間において、変電所Ｐｃに光端局装置２００ｘが設置され、変電所Ｐｄに光端局装置２００ｙが設置された場合に用いられる。すなわち、変電所Ｐｃが隣接変電所Ｐｘとなり、変電所Ｐｄが迂回変電所Ｐｙとなる故障期間において、チャンネルｃｈ１５およびチャンネルｃｈ１６は用いられる。なお、詳細には後述するが、変電所Ｐｃの伝送装置１１０には、設定情報「ｃｈ１５」および設定情報「ｃｈ１６」が故障期間より前に予め記憶される。
【００５０】
制御中継所Ｑからは、変電所Ｐｃに設置された光端局装置２００ｘに入力すべき各種のデータがチャンネルｃｈ１５およびチャンネルｃｈ１６において送信される。変電所Ｐｃの伝送装置１１０は、設定情報「ｃｈ１５」および設定情報「ｃｈ１６」を記憶することで、チャンネルｃｈ１５およびチャンネルｃｈ１６に送信された各種のデータを、光端局装置２００ｘに入力すべきデータとして受信できる。
【００５１】
例えば、チャンネルｃｈ１５のデータが、変電所Ｐｃ（隣接変電所Ｐｘ）の光端局装置２００ｘへ入力された場合を想定する。以上の場合、変電所Ｐｃの光端局装置２００ｘは、チャンネルｃｈ１５のデータに応じて、変電所Ｐｄ（迂回変電所Ｐｙ）の遠隔監視装置１２０を制御するためのデータを出力する。変電所Ｐｃの光端局装置２００ｘから出力された当該データは、変電所Ｐｄの光端局装置２００ｙを介して遠隔監視装置１２０へ入力される。
【００５２】
また、チャンネルｃｈ１６のデータが、変電所Ｐｃの光端局装置２００ｘに入力された場合を想定する。以上の場合、変電所Ｐｃの光端局装置２００ｘは、チャンネルｃｈ１６のデータに応じて、変電所Ｐｄの通話装置１３０を制御するためのデータを変電所Ｐｄに設置された光端局装置２００ｙへ出力する。光端局装置２００ｘからのデータは、光端局装置２００ｙを介して通話装置１３０へ入力される。以上の説明から理解される通り、変電所Ｐｄの伝送装置１１０の故障期間において、変電所Ｐｄに設置された通信対象Ｄ（遠隔監視装置１２０等）は、光端局装置２００ｙ、光端局装置２００ｘおよび変電所Ｐｃの伝送装置１１０を介して、制御中継所Ｑと通信が可能である。
【００５３】
図３（ｂ）に示す通り、変電所Ｐｄの伝送装置１１０は、設定情報「ｃｈ７」および設定情報「ｃｈ８」を記憶する。以上の各設定情報では、チャンネルｃｈ７およびチャンネルｃｈ８が特定される。以上のチャンネルｃｈ７およびチャンネルｃｈ８は、通常用チャンネルであり、非故障期間および故障期間の双方で用いられる。
【００５４】
制御中継所Ｑからは、変電所Ｐｄの遠隔監視装置１２０に入力すべき各種のデータがチャンネルｃｈ７において送信される。変電所Ｐｄの伝送装置１１０は、設定情報「ｃｈ７」を記憶することで、チャンネルｃｈ７において送信された各種のデータを、遠隔監視装置１２０に入力すべきデータとして受信できる。また、制御中継所Ｑからは、変電所Ｐｄの通話装置１３０に入力すべき音声データがチャンネルｃｈ８において送信される。変電所Ｐｄの伝送装置１１０は、設定情報「ｃｈ８」を記憶することで、チャンネルｃｈ８において送信された音声データを、通話装置１３０に入力すべきデータとして受信できる。
【００５５】
変電所Ｐｄの伝送装置１１０は、図３（ｂ）に示す通り、設定情報「ｃｈ７」および設定情報「ｃｈ８」に加え、設定情報「ｃｈ１７」および設定情報「ｃｈ１８」を記憶する。以上の各設定情報で特定されるチャンネルｃｈ１７およびチャンネルｃｈ１８は、迂回用チャンネルであり、故障期間で用いられる。
【００５６】
以上の迂回用チャンネル（ｃｈ１７およびｃｈ１８）は、変電所Ｐｅの伝送装置１１０が故障した期間において、変電所Ｐｄに光端局装置２００ｘが設置され、変電所Ｐｅに光端局装置２００ｙが設置された場合に用いられる。すなわち、変電所Ｐｄが隣接変電所Ｐｘとなり、変電所Ｐｅが迂回変電所Ｐｙとなる故障期間において、チャンネルｃｈ１７およびチャンネルｃｈ１８は用いられる。なお、詳細には後述するが、変電所Ｐｃの伝送装置１１０には、設定情報「ｃｈ１７」および設定情報「ｃｈ１８」が故障期間より前に予め記憶される。
【００５７】
制御中継所Ｑからは、変電所Ｐｄに設置された光端局装置２００ｘに入力すべき各種のデータがチャンネルｃｈ１７およびチャンネルｃｈ１８において送信される。変電所Ｐｄの伝送装置１１０は、設定情報「ｃｈ１７」および設定情報「ｃｈ１８」を記憶することで、チャンネルｃｈ１７およびチャンネルｃｈ１８に送信された各種のデータを、光端局装置２００ｘに入力すべきデータとして受信できる。
【００５８】
例えば、チャンネルｃｈ１７のデータが、変電所Ｐｄ（隣接変電所Ｐｘ）の光端局装置２００ｘへ入力された場合を想定する。以上の場合、変電所Ｐｄの光端局装置２００ｘは、チャンネルｃｈ１７のデータに応じて、変電所Ｐｅ（迂回変電所Ｐｙ）の遠隔監視装置１２０を制御するためのデータを出力する。変電所Ｐｄの光端局装置２００ｘから出力された当該データは、変電所Ｐｅの光端局装置２００ｙを介して遠隔監視装置１２０へ入力される。
【００５９】
また、チャンネルｃｈ１８のデータが、変電所Ｐｄの光端局装置２００ｘに入力された場合を想定する。以上の場合、変電所Ｐｄの光端局装置２００ｘは、チャンネルｃｈ１８のデータに応じて、変電所Ｐｅの通話装置１３０を制御するためのデータを変電所Ｐｄに設置された光端局装置２００ｙへ出力する。変電所Ｐｄの光端局装置２００ｘからのデータは、変電所Ｐｅの光端局装置２００ｙを介して通話装置１３０へ入力される。以上の説明から理解される通り、変電所Ｐｅの伝送装置１１０の故障期間において、変電所Ｐｅに設置された通信対象Ｄ（遠隔監視装置１２０等）は、光端局装置２００ｙ、光端局装置２００ｘおよび変電所Ｐｄの伝送装置１１０を介して、制御中継所Ｑと通信が可能である。
【００６０】
以上の説明から理解される通り、各変電所Ｐの伝送装置１１０は、非故障期間に用いる通常チャンネルに加え、故障期間に用いる迂回用チャンネルの各データを送受信可能に予め設定される。具体的には、制御中継所Ｑと迂回用チャンネルを用いて通信可能とするための設定情報（ｃｈ１３〜ｃｈ１８）を伝送装置１１０が故障期間より前に予め記憶する。
【００６１】
以上の本実施形態の伝送システムＳによれば、迂回用チャンネルにおいて通信可能とするための設定情報を伝送装置１１０に記憶させる作業（以下「回線設定作業」という場合がある）が故障期間において実行しなくて済む。したがって、例えば、故障期間において回線設定作業を要する構成と比較して、システムが復旧するまでの期間が短縮できるという利点がある。
【００６２】
＜伝送装置の各機能＞
図４（ａ）は、本発明の第１実施形態に係る伝送システムに用いる伝送装置の機能ブロック図である。図４（ａ）には、各変電所Ｐに設置される各伝送装置１１０のうちの１個が抜粋して示される。
【００６３】
伝送装置１１０は、ＣＰＵ（Central Processing Unit）、ＲＯＭ（Read Only Memory）、ＲＡＭ（Random Access Memory）およびフラッシュメモリを具備する。以上のＲＯＭには、ＣＰＵが実行する制御プログラムが記憶される。ＲＡＭは、ＣＰＵが制御プログラムを実行する場合に参照されるデータを一時的に記憶する。
【００６４】
フラッシュメモリは、上述の設定情報を含む各種の情報を不揮発的且つ書換可能に記憶する。なお、フラッシュメモリに替えて、ＨＤＤ（Hard Disk Drive）に設定情報が記憶される構成としてもよい。ＣＰＵが制御プログラムを実行することで、各種の機能（変換器１１１、時分割スイッチ１１２、インターフェース１１３、設定情報記憶装置１１４）が実現される。
【００６５】
図４（ａ）に示す通り、伝送装置１１０は、変換器１１１（ａ、ｂ）、時分割スイッチ（ＴＳＷ）１１２、インターフェース（Ｉ／Ｆ）１１３および設定情報記憶装置１１４を含んで構成される。変換器１１１は、変換器１１１ａおよび変換器１１１ｂを含む。
【００６６】
上述した通り、制御中継所Ｑおよび各変電所Ｐの伝送装置１１０は、光ケーブル（ケーブル４）を介して接続される。以上の構成では、制御中継所Ｑからチャンネル群Ｇの各データが光信号として各変電所Ｐの伝送装置１１０へ入力される。伝送装置１１０の変換器１１１ａは、以上の光信号を電気信号に変換して時分割スイッチ１１２へ入力する。また、変換機１１１ａにより電気信号に変換された各データは、変換器１１１ｂにより光信号へ再度変換され、隣接する変電所Ｐの伝送装置１１０へ出力される。
【００６７】
伝送装置１１０の時分割スイッチ１１２は、設定情報記憶装置１１４が記憶する設定情報により特定されるチャンネルｃｈのデータをチャンネル群Ｇの各データから取得する。時分割スイッチ１１２が取得した各データは、インターフェース１１３を経由して、各通信対象Ｄへ入力される。
【００６８】
例えば、図４（ａ）には、変電所Ｐｂの伝送装置１１０が例示される。上述した通り、変電所Ｐｂにおける伝送装置１１０の設定情報記憶装置１１４は、設定情報「ｃｈ３、ｃｈ４、ｃｈ１３、ｃｈ１４」を記憶する。以上の場合、伝送装置１１０は、チャンネル群Ｇの各チャンネルｃｈのうちチャンネルｃｈ３、チャンネルｃｈ４、チャンネルｃｈ１３およびチャンネルｃｈ１４の各データを取得する。
【００６９】
伝送装置１１０のインターフェース１１３は、時分割スイッチ１１２から入力された各データを中間配線盤１４０へ入力する。具体的には、中間配線盤１４０には複数の端子Ｔ（ａ〜ｄ）が設けられる。伝送装置１１０（インターフェース１１３）は、チャンネルｃｈに対応する端子Ｔへ当該チャンネルｃｈのデータを入力する。
【００７０】
例えば、変電所Ｐｂの伝送装置１１０からは、チャンネルｃｈ３のデータが中間配線盤１４０の端子Ｔａに入力される。端子Ｔａに入力されたデータは、中間配線盤１４０を介して遠隔監視装置１２０へ入力される。また、変電所Ｐｂの伝送装置１１０からは、チャンネルｃｈ４のデータが中間配線盤１４０の端子Ｔｂへ入力される。端子Ｔｂへ入力されたデータは、中間配線盤１４０を介して通話装置１３０へ入力される。
【００７１】
図４（ａ）に示す通り、変電所Ｐｂの伝送装置１１０からは、チャンネルｃｈ１３のデータが中間配線盤１４０の端子Ｔｃへ入力される。また、変電所Ｐｂの伝送装置１１０からは、チャンネルｃｈ１４のデータが中間配線盤１４０の端子Ｔｄへ入力される。
【００７２】
図４（ａ）には、中間配線盤１４０に接続された光端局装置２００ｘが破線で示される。以上の光端局装置２００ｘは、非故障期間においては中間配線盤１４０に接続されない。一方、故障期間において隣接変電所Ｐｘの伝送装置１１０に光端局装置２００ｘが接続される。
【００７３】
具体的には、中間配線盤１４０には端子Ｔｅおよび端子Ｔｆが設けられる。図４（ａ）に示す通り、光端局装置２００ｘは、配線Ｃｘ１を介して端子Ｔｅと接続される。光端局装置２００ｘは、端子Ｔｅへ接続された場合、上述の端子Ｔｃへ入力されたチャンネルｃｈ１３のデータを受信可能となる。光端局装置２００ｘは、端子Ｔｅから受信したデータに応じて、迂回変電所Ｐｙにおける遠隔監視装置１２０を制御するためのデータを当該迂回変電所Ｐｙ（光端局装置２００ｙ）へ送信する。
【００７４】
図４（ａ）に示す通り、光端局装置２００ｘは、配線Ｃｘ２を介して端子Ｔｆと接続される。光端局装置２００ｘは、端子Ｔｆへ接続された場合、上述の端子Ｔｄへ入力されたチャンネルｃｈ１４のデータを受信可能となる。光端局装置２００ｘは、端子Ｔｆから受信したデータに応じて、迂回変電所Ｐｙにおける通話装置１３０を制御するためのデータを当該迂回変電所Ｐｙ（光端局装置２００ｙ）へ送信する。
【００７５】
＜故障期間の機能ブロック図＞
図４（ｂ）は、故障期間の迂回変電所Ｐｙにおける各装置の機能ブロック図である。図４（ｂ）に示す通り、故障期間において、故障した伝送装置１１０は中間配線盤１４０内で外される。また、故障期間において、中間配線盤１４０を介して配線接続することにより、光端局装置２００ｙが遠隔監視装置１２０および通話装置１３０と通信可能に接続される。
【００７６】
具体的には、中間配線盤１４０には端子Ｔｇおよび端子Ｔｈが設けられる。また、遠隔監視装置１２０には端子Ｔｉおよび通話装置１３０には端子Ｔｊが設けられる。光端局装置２００ｙは、配線Ｃｙ１を介して端子Ｔｇと接続される。中間配線盤１４０内において端子Ｔｇと端子Ｔｉが接続された場合、光端局装置２００ｙは、隣接変電所Ｐｘの光端局装置２００ｘから受信した各データのうち、遠隔監視装置１２０を制御するためのデータを、当該遠隔監視装置１２０へ送信可能になる。
【００７７】
光端局装置２００ｙは、配線Ｃｙ２を介して端子Ｔｈと接続される。中間配線盤１４０内において端子Ｔｈと端子Ｔｊが接続された場合、光端局装置２００ｙは、隣接変電所Ｐｘの光端局装置２００ｘから受信した各データのうち、通話装置１３０を制御するためのデータを、当該通話装置１３０へ送信可能になる。
【００７８】
以上の説明から理解される通り、迂回変電所Ｐｙの通信対象Ｄ（遠隔監視装置１２０、通話装置１３０）は、中間配線盤１４０の端子Ｔｇおよび端子Ｔｈへ光端局装置２００ｙを接続することで、制御中継所Ｑからのデータにより制御可能になる（制御中継所Ｑと通信可能になる）。
【００７９】
なお、故障期間において光端局装置２００ｙが接続される上述の端子Ｔｇおよび端子Ｔｈは、非故障期間において未使用の端子である。以上の構成に替えて、非故障期間において伝送装置１１０との接続に使用され、且つ、故障期間において伝送装置１１０から取外される端子に光端局装置２００ｙが接続される構成としてもよい。例えば、上述の端子Ｔａおよび端子Ｔｂへ光端局装置２００ｙが接続される構成としてもよい。
【００８０】
＜光端局装置＞
図５は、本発明の第１実施形態に係る伝送システムに用いる光端局装置２００（ｘ、ｙ）の機能ブロック図である。光端局装置２００は、ＣＰＵ、ＲＯＭおよびＲＡＭを具備する。以上のＲＯＭには、ＣＰＵが実行する制御プログラムが記憶される。ＲＡＭは、ＣＰＵが制御プログラムを実行する場合に参照されるデータを一時的に記憶する。ＣＰＵが制御プログラムを実行することで、各種の機能（多重分離装置２０１、変換器２０２）が実現される。
【００８１】
図５に示す通り、光端局装置２００は、多重分離装置２０１および変換器２０２を含んで構成される。本実施形態の光端局装置２００は、隣接変電所Ｐｘに設置される光端局装置２００ｘおよび迂回変電所Ｐｙに設置される光端局装置２００ｙの何れとしても機能可能である。以上の構成では、例えば光端局装置２００ｘとしてのみ機能する光端局装置および光端局装置２００ｙとしてのみ機能する光端局装置により伝送システムを復旧する構成と比較して、復旧作業の利便性が向上するという利点がある。
【００８２】
多重分離装置２０１は、複数のデータが入力された場合、当該複数のデータを多重化して出力可能である。また、多重分離装置２０１は、多重化されたデータが入力された場合、当該データを複数のデータに分離して出力可能である。多重分離装置２０１におけるデータの多重化の方式としては、例えば時分割多重化方式が好適に採用される。ただし、他の方式によりデータが多重化される構成としてもよい。
【００８３】
変換器２０２は、光信号が入力された場合、当該光信号を電気信号に変換する。また、変換器２０２は、電気信号が入力された場合、当該電気信号を光信号に変換する。なお、光端局装置２００において、光信号を電気信号に変換する変換器および電気信号を光信号に変換する変換器を別々に設ける構成としてもよい。
【００８４】
隣接変電所Ｐｘに光端局装置２００（ｘ）が設置された場合を想定する。以上の場合、上述の配線Ｃｘ１および配線Ｃｘ２を介して、伝送装置１１０から複数のデータ（迂回変電所Ｐｙの通信対象Ｄを制御するためのデータ）が多重分離装置２０１へ入力される。多重分離装置２０１は、配線Ｃｘ１および配線Ｃｘ２から入力された各データを多重化する。多重分離装置２０１により多重化されたデータは、変換器２０２により光信号に変換され、隣接変電所Ｐｘから迂回変電所Ｐｙへ送信される。
【００８５】
なお、隣接変電所Ｐｘ（光端局装置２００ｘ）で多重化された電気信号を、光信号に変換しないで、迂回変電所Ｐｙ（光端局装置２００ｙ）へ送信する構成としてもよい。また、光端局装置２００（ｘ、ｙ）が送受信するデータは、制御中継所Ｑが送受信するチャンネル群Ｇの各データと同様に、ケーブル４により伝送される構成としてもよいし、ケーブル４とは別のケーブルにより伝送される構成としてもよい。
【００８６】
迂回変電所Ｐｙに光端局装置２００（ｙ）が設置された場合を想定する。以上の場合、隣接変電所Ｐｘの光端局装置２００ｘからの光信号が光端局装置２００ｙへ入力される。具体的には、光端局装置２００ｘからの光信号は、光端局装置２００ｙの変換器２０２へ入力される。光端局装置２００ｙの変換器２０２は、光信号を電気信号へ変換し、多重分離装置２０１へ入力する。光端局装置２００ｙの変換機２０２により光信号から変換された電気信号は、光端局装置２００ｘの多重分離装置２０１により多重化された電気信号のデータを示す。
【００８７】
光端局装置２００ｙの多重分離装置２０１は、多重化されたデータが入力された場合、当該データを分離して複数のデータを生成する。光端局装置２００ｙにより生成（分離）される複数のデータには、隣接変電所Ｐｘの光端局装置２００ｘへ配線Ｃｘ１を介して入力されたデータが含まれる。以上のデータは、配線Ｃｙ１を介して遠隔監視装置１２０へ送信される。
【００８８】
以上の説明から理解される通り、隣接変電所Ｐｘにおいて配線Ｃｘ１を介して光端局装置２００ｘへ入力されたデータは、隣接変電所Ｐｙにおいて配線Ｃｙ１を介して光端局装置２００ｙへ入力される。上述した通り、配線Ｃｘ１を介して光端局装置２００ｘへ入力されるデータは、制御中継所Ｑから送信された迂回チャンネルｃｈ（例えばチャンネルｃｈ１３（図３（ｂ）参照））のデータである。以上の構成では、迂回変電所Ｐｙの遠隔監視装置１２０および制御中継所Ｑは、配線Ｃｘ１および配線Ｃｙ１を介して通信が可能になるとも換言される。
【００８９】
また、光端局装置２００ｙにより生成（分離）される複数のデータには、隣接変電所Ｐｘの光端局装置２００ｘへ配線Ｃｘ２を介して入力されたデータが含まれる。以上のデータは、配線Ｃｙ２を介して通話装置１３０へ送信される。上述した通り、配線Ｃｘ２を介して光端局装置２００ｘへ入力されるデータは、制御中継所Ｑから送信された迂回チャンネルｃｈ（例えばチャンネルｃｈ１４（図３（ｂ）参照））のデータである。以上の構成では、迂回変電所Ｐｙの通話装置１３０および制御中継所Ｑは、配線Ｃｘ２および配線Ｃｙ２を介して通信が可能になるとも換言される。
【００９０】
＜復旧作業＞
図６は、本発明の第１実施形態に係る伝送システムを用いて通信を復旧する作業（Ｓｘ、Ｓｙ）を説明するための図である。図６の具体例では、各変電所Ｐのうち変電所Ｐｃの伝送装置１１０が故障した場合を想定する。以上の場合、変電所Ｐｃが迂回変電所Ｐｙになる。また、変電所Ｐｃと隣接する変電所Ｐｂが隣接変電所Ｐｘになる。図６には、伝送システムＳの復旧に要する作業が変電所Ｐ毎に記載される。
【００９１】
図６には、時間軸が示されるとともに、非故障期間および故障期間が当該時間軸上に示される。図６の具体例では、時点Ｔｍにおいて、変電所Ｐｃの伝送装置１１０が故障した場合を想定する。以上の場合、時点Ｔｍより前の期間が非故障期間となり、時点Ｔｍより後の期間が故障期間となる。図６に示す通り、変電所Ｐｂ（隣接変電所Ｐｘ）における復旧作業には、作業Ｓｘ０から作業Ｓｘ２が含まれる。また、変電所Ｐｃ（迂回変電所Ｐｙ）における復旧作業には、作業Ｓｙ１から作業Ｓｙ３が含まれる。
【００９２】
変電所Ｓｂにおける作業Ｓｘ０では、変電所Ｓｂの伝送装置１１０に設定情報を入力する（上述の図３（ｂ）参照）。具体的には、変電所Ｓｂにおける伝送装置１１０の設定情報記憶装置１１４には、制御中継所Ｑから送信されたチャンネル群Ｇの各データのうちチャンネルｃｈ３およびチャンネルｃｈ４（通常用チャンネル）に加え、チャンネルｃｈ１３およびチャンネルｃｈ１４（迂回用チャンネル）の各データが当該伝送装置１１０により取得可能となる設定情報「ｃｈ３、ｃｈ４、ｃｈ１３、ｃｈ１４」が記憶される。
【００９３】
以上の作業Ｓｘ０により設定情報「ｃｈ１３、ｃｈ１４」が変電所Ｓｂの伝送装置１１０に記憶されることで、変電所Ｐｃの伝送装置１１０が故障した場合に伝送システムＳが光端局装置２００により復旧可能になる。図６から把握される通り、作業Ｓｘ０は、故障期間より前の非故障期間において予め実行される。
【００９４】
図６に示す通り、変電所Ｐｃの伝送装置１１０が故障した場合（故障期間が開始された場合）、作業員Ａが変電所Ｐｂに光端局装置２００ｘを設置する（作業Ｓｘ１）。上述した通り、光端局装置２００ｘは可搬型である。したがって、特別な機材（運搬装置）を用いることなく光端局装置２００ｘを変電所Ｐｂへ搬入できる。
【００９５】
その後、作業員Ａは、光端局装置２００ｘを変電所Ｐｂの伝送装置１１０へ接続する（作業Ｓｘ２）。具体的には、変電所Ｐｂの中間配線盤１４０の端子Ｔｅおよび端子Ｔｆ（上述の図４（ａ）参照）に光端局装置２００ｘを接続する。中間配線盤１４０内において端子Ｔｃ〜端子Ｔｅ間および端子Ｔｄ〜Ｔｆ間を配線する。以上の作業Ｓｘ２により、光端局装置２００ｘが制御中継所Ｑと通信可能になる。
【００９６】
図６に示す通り、変電所Ｐｃの伝送装置１１０が故障した場合、作業員Ｂが変電所Ｐｃに光端局装置２００ｙを設置する（作業Ｓｙ１）。その後、作業員Ｂは変電所Ｐｃにおいて、故障した伝送装置１１０を中間配線盤１４０内で配線を取外す（接続を解除する）。具体的には、変電所Ｐｃの中間配線盤１４０内の端子Ｔｋ〜端子Ｔｉ間および端子Ｔｌ〜端子Ｔｊ間の配線を外し伝送装置１１０を切離す。
【００９７】
その後、作業員Ｂは、変電所Ｐｃの各通信対象Ｄ（遠隔監視装置１２０、通話装置１３０）へ光端局装置２００ｙを接続する（作業Ｓｙ３）。具体的には、変電所Ｐｃにおける中間配線盤１４０内において端子Ｔｇ〜端子Ｔｉ間および端子Ｔｈ〜端子Ｔｊ間（上述の図４（ｂ）参照）を配線し光端局装置２００ｙを接続する。
【００９８】
その後，作業員Ａは，制御中継所へ移動し，制御中継所Ｑの中間配線盤１４０において，情報集配信装置２等と伝送装置１１０のｃｈ５、ｃｈ６をｃｈ１３、ｃｈ１４に配線変更を行う（作業Ｓｘ３）。
【００９９】
以上の復旧作業（Ｓｘ０〜２、Ｓｙ１〜３）により、変電所Ｐｃの通信対象Ｄが制御中継所Ｑと通信可能になる。なお、上述の具体例では、作業Ｓｙ２（伝送装置１１０の取外し）が作業Ｓｙ３（光端局装置２００ｙの取付）より先に実行されたが、作業Ｓｙ３が作業Ｓｙ２より先に実行される構成としてもよい。
【０１００】
以上の説明から理解される通り、伝送システムＳの復旧に要する作業のうち故障期間における作業には、迂回チャンネルのデータを取得可能にする設定情報を伝送装置１１０へ入力する作業（Ｓｘ０）が含まれない。したがって、本実施形態によれば、迂回チャンネルのデータを取得可能にする設定情報を伝送装置１１０へ入力する作業が故障期間において実行される構成と比較して、故障期間が開始されてから伝送システムＳが復旧するまでに要する期間を短縮できる。
【０１０１】
また、上述した通り、本実施形態の光端局装置２００ｘおよび光端局装置２００ｙは、作業者が持運び可能な可搬型の光端局装置である。以上の構成によれば、何れの変電所Ｐの伝送装置１１０が故障した場合であっても、当該変電所Ｐへ作業者が光端局装置２００ｙを持運ぶことができる。また、伝送装置１１０が故障した変電所Ｐと隣接する変電所へ光端局装置２００ｘを持運ぶことができる。仮に、持運びが不可能な光端局装置２００により伝送システムＳを復旧する構成を想定する。以上の構成では、光端局装置２００を全ての変電所Ｐに設置する必要があり、コストが過大になる不都合が生じ得る。上述の本実施形態では、少なくとも２個の光端局装置２００を設ければ足り、以上の不都合が抑制されるという利点がある。
【０１０２】
＜第２実施形態＞
本発明の他の実施形態を以下に説明する。なお、以下に例示する各形態において作用や機能が第１実施形態と同等である要素については、第１実施形態の説明で参照した符号を流用して各々の詳細な説明を適宜に省略する。
【０１０３】
＜第２実施形態の設定情報＞
図７は、本発明の第２実施形態に係る伝送システムに適用する回路設定の一例を説明するための図である。
【０１０４】
図７に示す通り、変電所Ｐａの伝送装置１１０（設定情報記憶装置１１４）には、設定情報「ｃｈ１」、設定情報「ｃｈ１」、設定情報「ｃｈ１１」および設定情報「ｃｈ１２」が記憶される。以上の伝送装置１１０によれば、制御中継所Ｑが送受信するチャンネル群Ｇの各データのうち、チャンネルｃｈ１、チャンネルｃｈ２、チャンネルｃｈ１１およびチャンネルｃｈ１２のデータが変電所Ｐａの通信対象Ｄ（遠隔監視装置１２０、通話装置１３０）および光端局装置２００により送受信可能になる。
【０１０５】
以上のチャンネルｃｈ１およびチャンネルｃｈ２は通常用チャンネルである。チャンネルｃｈ１は、制御中継所Ｑと変電所Ｐａの遠隔監視装置１２０との通信に用いられる。チャンネルｃｈ２は、制御中継所Ｑと変電所Ｐａの通話装置１３０との通信に用いられる。
【０１０６】
チャンネルｃｈ１１およびチャンネルｃｈ１２は迂回用チャンネルである。チャンネルｃｈ１１およびチャンネルｃｈ１２の各データは、光端局装置２００ｘに入力される。変電所ａに隣接する変電所Ｐｂの伝送装置１１０が故障する期間において、制御中継所Ｑと変電所Ｐｂの遠隔監視装置１２０との通信がチャンネルｃｈ１１により可能となる。また、制御中継所Ｑと変電所Ｐｂの通話装置１３０との通信がチャンネルｃｈ１２において可能となる。
【０１０７】
図７に示す通り、変電所Ｐｂの伝送装置１１０には、設定情報「ｃｈ３」、設定情報「ｃｈ４」、設定情報「ｃｈ１３」および設定情報「ｃｈ１４」が記憶される。以上の伝送装置１１０によれば、制御中継所Ｑが送受信するチャンネル群Ｇの各データのうち、チャンネルｃｈ３、チャンネルｃｈ４、チャンネルｃｈ１３およびチャンネルｃｈ１４のデータが変電所Ｐｂの通信対象Ｄ（遠隔監視装置１２０および通話装置１３０）および光端局装置２００により送受信可能になる。
【０１０８】
以上のチャンネルｃｈ３およびチャンネルｃｈ４は、上述の第１実施形態と同様に、通常用チャンネルであり、チャンネルｃｈ１３およびチャンネルｃｈ１４は迂回用チャンネルである。チャンネルｃｈ３は、制御中継所Ｑと変電所Ｐｂの遠隔監視装置１２０との通信に用いられる。チャンネルｃｈ４は、制御中継所Ｑと変電所Ｐｂの通話装置１３０との通信に用いられる。チャンネルｃｈ１３およびチャンネルｃｈ１４の各データは、光端局装置２００ｘに入力される。
【０１０９】
第２実施形態では、上述の第１実施形態と同様に、変電所Ｐｃの伝送装置１１０が故障する期間において、変電所Ｐｃに光端局装置２００ｙが設置された場合、変電所Ｐｂに設置された光端局装置２００ｘは当該光端局装置２００ｙと通信可能となる。また、第２実施形態では、変電所Ｐａの伝送装置１１０が故障する期間において、変電所Ｐａに光端局装置２００ｙが設置された場合、変電所Ｐｂに設置された光端局装置２００ｘは当該光端局装置２００ｙと通信可能となる。
【０１１０】
例えば、変電所Ｐｃの伝送装置１１０が故障した期間において、変電所Ｐｂに光端局装置２００ｘが設置された場合を想定する。以上の場合、作業者は、変電所Ｐｃの遠隔監視装置１２０を制御するためのデータがチャンネルｃｈ１３において送受信可能となる設定操作を、制御中継所Ｑの伝送装置１１０に対してする。同様に、作業者は、変電所Ｐｃの通話装置１３０を制御するためのデータがチャンネルｃｈ１４において送受信可能となる設定操作を、制御中継所Ｑの伝送装置１１０に対してする。以上の構成では、上述の第１実施形態と同様に、変電所Ｐｃの遠隔監視装置１２０および通話装置１３０を制御するための各データは、変電所Ｐｂの光端局装置２００ｘおよび変電所Ｐｃの光端局装置２００ｙを介して、当該遠隔監視装置１２０および通話装置１３０で送受信される。
【０１１１】
一方、変電所Ｐａの伝送装置１１０が故障した期間において、変電所Ｐｂに光端局装置２００ｘが設置された場合を想定する。以上の場合、作業者は、変電所Ｐａの遠隔監視装置１２０を制御するためのデータがチャンネルｃｈ１３において送受信可能となる設定操作を、制御中継所Ｑの伝送装置１１０に対してする。同様に、作業者は、変電所Ｐａの通話装置１３０を制御するためのデータがチャンネルｃｈ１４において送受信可能となる設定操作を、制御中継所Ｑの伝送装置１１０に対してする。以上の構成では、変電所Ｐａの遠隔監視装置１２０および通話装置１３０を制御するための各データは、変電所Ｐｂの光端局装置２００ｘおよび変電所Ｐａの光端局装置２００ｙを介して、当該遠隔監視装置１２０および通話装置１３０で送受信される。
【０１１２】
以上の説明から理解される通り、変電所Ｐｂに光端局装置２００ｘを設置することで、変電所Ｐｂに隣接する各変電所（Ｐａ、Ｐｃ）の何れの伝送装置１１０が故障した場合であっても、伝送システムＳを復帰できる。同様に、変電所Ｐｃに光端局装置２００ｘを設置することで、変電所Ｐｃに隣接する各変電所（Ｐｂ、Ｐｄ）の何れの伝送装置１１０が故障した場合であっても、伝送システムＳを復帰できる。また、変電所Ｐｄに光端局装置２００ｘを設置することで、変電所Ｐｄに隣接する各変電所（Ｐｃ、Ｐｅ）の何れの伝送装置１１０が故障した場合であっても、伝送システムＳを復帰できる。
【０１１３】
以上の通り、第２実施形態では、一の変電所Ｐに光端局装置２００ｘを設置することで、当該変電所Ｐに隣接する各変電所Ｐの何れの伝送装置１１０が故障した場合であっても、伝送システムＳを復帰できる。したがって、例えば、一の変電所Ｐに光端局装置２００ｘを設置することで、当該一の変電所Ｐに隣接する各変電所Ｐの一方の伝送装置１１０が故障した場合、当該一の変電所Ｐに光端局装置２００ｘを設置することで伝送システムＳを復帰できるが、当該一の変電所Ｐに隣接する各変電所Ｐの他方の伝送装置１１０が故障した場合、当該一の変電所Ｐに光端局装置２００ｘを設置することで伝送システムＳを復帰できない構成と比較して、故障期間において光端局装置２００ｘを設置すべき変電所Ｐの自由度が向上するという利点がある。
【０１１４】
＜本実施形態の態様例の作用、効果のまとめ＞
＜第１態様＞
本態様に係る伝送システムＳは、第１施設（変電所Ｐｂ）および第２施設（変電所Ｐｃ）を含む複数の施設に設けられた各種の通信対象（遠隔監視装置１２０、通話装置１３０）と遠隔地において通信可能な制御手段（制御装置１）と、第１施設に設けられるとともに、制御手段と第１施設の通信対象との間で通信が可能となる設定情報（設定情報「ｃｈ３」および設定情報「ｃｈ４」）が予め記憶された第１伝送手段（変電所Ｐｂの伝送装置１１０）と、第２施設に設けられるとともに、制御手段と第２施設の通信対象との間で通信が可能となる設定情報（設定情報「ｃｈ５」および設定情報「ｃｈ６」）が予め記憶された第２伝送手段（変電所Ｐｃの伝送装置１１０）と、第２伝送手段が正常に動作しない故障期間において、第１伝送手段に接続された場合、第１伝送手段を介して制御手段と通信可能な第１非常用伝送手段（光端局装置２００ｘ）と、第１非常用伝送手段と制御手段との通信が可能な故障期間において、第２施設の通信対象に接続された場合、第１伝送手段および第１非常用伝送手段を介して制御手段と当該通信対象との間で通信を可能とする第２非常用伝送手段（光端局装置２００ｙ）とを具備し、第１伝送手段には、故障期間より前の期間において、制御手段と第１非常用伝送手段との通信が可能となる設定情報（設定情報「ｃｈ１３」および設定情報「ｃｈ１４」）が予め記憶されることを特徴とする。
【０１１５】
以上の態様によれば、第２非常用伝送手段を具備することで、第２施設の第２伝送手段が故障した故障期間において、第２伝送装置に接続されていた通信対象と制御手段との間で通信が可能になる。
【０１１６】
また、上述の態様によれば、故障期間より前の期間において、制御手段と第１非常用伝送手段との通信が可能となる設定情報が第１伝送手段に予め記憶される。したがって、故障期間において、当該設定情報を第１伝送手段に記憶させる作業を省略でき、伝送システムの復旧作業に要する時間が短縮できるという利点がある。
【０１１７】
＜第２態様＞
本態様に係る伝送システムＳは、第１非常用伝送手段および第２非常用伝送手段の各々は可搬型であることを特徴とする。以上の構成によれば、何れの施設の伝送手段が故障した場合であっても、当該施設へ作業者が非常用伝送手段（第１非常用伝送手段、第２非常用伝送手段）を持運ぶことができる。したがって、例えば、全ての施設に非常用伝送手段を予め設置する構成と比較して、非常用伝送手段の個数が削減されるという利点がある。
【０１１８】
＜第３態様＞
本態様に係る伝送システムＳは、複数の施設は、第３施設を含み、第３施設に設けられるとともに、制御手段と第３施設の通信対象との間で通信が可能となる設定情報が予め記憶された第３伝送手段を具備し、第１伝送手段、第２伝送手段および第３伝送手段は環状に接続され、故障期間において、第１施設の第１非常用伝送手段および第２施設の第２非常用伝送手段は、第３伝送手段を介することなく通信可能であることを特徴とする。
【０１１９】
仮に、第１施設の第１非常用伝送手段および第２施設の第２非常用伝送手段は、第３伝送手段を介して通信する構成を想定する。以上の構成では、第３伝送手段が故障した場合、第１非常用伝送手段および第２非常用伝送手段が通信不可能になる不都合が生じる。本態様の構成によれば、上述の不都合が抑制される。
【０１２０】
＜第４態様＞
本態様に係る伝送システムＳは、第２施設に設けられた通信対象には、第２施設に設けられた監視対象（設備機器３）を、制御手段と通信することで監視可能な遠隔監視手段（１２０）が含まれることを特徴とする。以上の本態様によれば、故障期間においても、遠隔監視手段により第２施設の監視対象が遠隔地から監視可能になる。
【０１２１】
＜第５態様＞
本態様に係る伝送システムＳは、第２施設に設けられた通信対象には、制御手段と通信することで他の施設の通話装置と通話が可能な通話装置（通話装置１３０）が含まれることを特徴とする。以上の本態様によれば、故障期間においても、第２施設の通話装置と通話が可能になる。
【０１２２】
＜第６態様＞
本態様に係る伝送システムＳは、第１非常用伝送手段は、第２施設の通信対象に接続された場合、第２非常用伝送手段として機能可能であり、第２非常用伝送手段は、第１伝送手段に接続された場合、第１非常用伝送手段として機能可能であることを特徴とする。以上の構成では、例えば第１非常用伝送手段としてのみ機能する非常用伝送手段および第２非常用伝送手段としてのみ機能する非常用伝送手段により伝送システムＳを復旧する構成と比較して、復旧作業の利便性が向上するという利点がある。
【０１２３】
＜第７態様＞
本態様に係る伝送システムの復旧方法は、第１施設に第１非常用伝送手段を設置するステップ（図６のＳｘ１）と、第１伝送手段に第１非常用伝送手段を接続するステップ（図６のＳｘ２）と、第２施設に第２非常用伝送手段を設置するステップ（図６のＳｙ１）と、第２施設の通信対象を第２伝送手段から取外すステップ（図６のＳｙ２）と、第２施設の通信対象に第２非常用伝送手段を接続するステップ（図６のＳｙ３）と、を実行することを特徴とする。以上の伝送システムの復旧方法によれば、上述の第１態様と同様な効果が奏せられる。
【符号の説明】
【０１２４】
１…制御装置、２…情報集配信装置、３…設備機器、４…ケーブル、１１０…伝送装置、１１１…変換器、１１２…時分割スイッチ、１１３…インターフェース、１２０…遠隔監視装置、１３０…通話装置、１４０…中間配線盤、２００…光端局装置、２０１…多重分離装置、２０２…変換器。
【図１】
2020120280.tif 000003
【図２】
2020120280.tif 000004
【図３】
2020120280.tif 000005
【図４】
2020120280.tif 000006
【図５】
2020120280.tif 000007
【図６】
2020120280.tif 000008
【図７】
2020120280.tif 000009